(57)【要約】      （修正有）【課題】インテリジェントパネルとＷｅｂカメラを通じて、得点を自動に記録することができ、手動計算による誤りを避けることができる麻雀卓を提供する。【解決手段】自動的に得点を記録する麻雀卓は、麻雀卓本体１、Ｗｅｂカメラ及びインテリジェント・パネル３を含み、麻雀卓本体１にＷｅｂカメラが設置されている。麻雀卓本体１の側面に、パネル固定用スロット１１が設置されている。インテリジェント・パネル３がパネル固定用スロット１１に固定される。インテリジェント・パネル３が給電モジュールに接続するタッチスクリーン、通信モジュールと処理モジュールを含む。処理モジュールがそれぞれタッチスクリーン及び通信モジュールに接続する。麻雀卓本体１内に、相互接続している送受信モジュールと計算モジュールが設置されている。送受信モジュールと通信モジュールとの間に無線通信を行う。計算モジュールがＷｅｂカメラに接続している。【選択図】図１
0003228618.tif 000002
【実用新案登録請求の範囲】
【請求項１】
下記の構成部分、即ち、麻雀卓本体(1)、Webカメラ及びインテリジェント・パネル(3)を
含む；その中で、前記麻雀卓本体(1)にWebカメラが設置されている；前記麻雀卓本体(1)
の側面に、パネル固定用スロット(11)が設置されている；前記インテリジェント・パネル
(3)がトパネル固定用スロット(11)に固定されることができる；インテリジェント・パネ
ルが下記の構成部分、即ち、それぞれ給電モジュール(31)に接続するタッチスクリーン(3
2)、通信モジュール(33)と処理モジュール(34)を含む；前記処理モジュール(34)がそれぞ
れタッチスクリーン(32)及び通信モジュール(33)に接続する；前記麻雀卓本体(1)内に、
相互接続している送受信モジュール(12)と計算モジュール(13)が設置されている；前記送
受信モジュール(12)と通信モジュール(33)との間に無線通信を行う；前記計算モジュール
(13)がWebカメラに接続していることを特徴とする、自動的に得点を記録する麻雀卓。
【請求項２】
前記Webカメラが第一撮影モジュール(21)と第二撮影モジュール(22)を含む；前記第一撮
影モジュール(21)が前記麻雀卓本体(1)の中央部に設置され、且つ、それぞれ前記麻雀卓
本体(1)の四辺に向けている；前記第二撮影モジュール(22)がそれぞれ前記麻雀卓本体(1)
の四側辺に設置され、且つ、前記麻雀卓本体(1)の中央部に向けていることを特徴とする
、自動的に得点を記録する請求項1に記載の麻雀卓。
【請求項３】
前記麻雀卓本体(1)内に、更に、前記計算モジュール(13)に接続しているネットワーク・
モジュール(14)が設置されていることを特徴とする、自動的に得点を記録する請求項1に
記載の麻雀卓。
【請求項４】
前記麻雀卓本体(1)内に、更に、前記通信モジュール(33)及び前記ネットワーク・モジュ
ール(14)に接続している広告モジュール(15)が設置されていることを特徴とする、自動的
に得点を記録する請求項3に記載の麻雀卓。
【請求項５】
前記計算モジュール(13)内に、モード切り替えユニット(131)が設置されていることを特
徴とする、自動的に得点を記録する請求項1に記載の麻雀卓。
【考案の詳細な説明】
【技術分野】
【０００１】
本実用新案は、麻雀卓の一種に関わり、特に自動的に得点を記録する麻雀卓の一種に関わ
る。
【背景技術】
【０００２】
現在の麻雀卓、特に日本式麻雀卓において、得点記録チップを手動に移動しなければなら
ない為、移動動作が間違った場合、元の点数が分からなくなる。その上、チップ数の計算
がプレイヤー自分で実施されるので、プレイヤーがこの面の知識を持っていないと、ゲー
ムで遊ぶことができなる。
【考案の概要】
【０００３】
本実用新案に提出された、自動的に得点を記録する麻雀卓が、下記の構成部分、即ち、麻
雀卓本体、Webカメラ及びインテリジェント・パネルを含む；その中で、麻雀卓本体に
Webカメラが設置されている；麻雀卓本体の側面に、パネル固定用スロットが設置されて
いる；インテリジェント・パネルがトパネル固定用スロットに固定されることができる；
インテリジェント・パネルが下記の構成部分、即ち、それぞれ給電モジュールに接続する
タッチスクリーン、通信モジュールと処理モジュールを含む；処理モジュールがそれぞれ
タッチスクリーン及び通信モジュールに接続する；麻雀卓本体内に、相互接続している送
受信モジュールと計算モジュールが設置されている；送受信モジュールと通信モジュール
との間に無線通信を行う；計算モジュールがWebカメラに接続している。
【０００４】
本実用新案に提出された、自動的に得点を記録する麻雀卓の中で、Webカメラが第一撮影
モジュールと第二撮影モジュールを含む；第一撮影モジュールが麻雀卓本体の中央部に設
置され、且つ、それぞれ麻雀卓本体の四辺に向けている；第二撮影モジュールがそれぞれ
麻雀卓本体
の四側辺に設置され、且つ、前記麻雀卓本体の中央部に向けている。
【０００５】
本実用新案に提出された、自動的に得点を記録する麻雀卓の中で、麻雀卓本体内に、更に
、計算モジュールに接続しているネットワーク・モジューが設置されている。
【０００６】
本実用新案に提出された、自動的に得点を記録する麻雀卓の中で、麻雀卓本体内に、更に
、通信モジュール及びネットワーク・モジュールに接続している広告モジュールが設置さ
れている。
【０００７】
本実用新案に提出された、自動的に得点を記録する麻雀卓の中で、計算モジュール内に、
モード切り替えユニットが設置されている。
【０００８】
本実用新案に提出された、自動的に得点を記録する麻雀卓の中で、タッチスクリーンを有
して、タッチパネルで点数操作を行い、さまざまな麻雀方式を表示でき、且つ、得点を読
み取り、且つ、得点を計算することができる。
【０００９】
本実用新案に提出された、自動的に得点を記録する麻雀卓の中で、ネットワークモジュー
ルを有して、プレイヤーの競技成績の順位をネットワークで作成して、ランキングリスト
に表示することができる。
【００１０】
本実用新案に提出された、自動的に得点を記録する麻雀卓の中で、広告モジュールを有し
て、タッチスクリーンの上で広告を表示して、余分な広告収入を取得することができる。
【００１１】
本実用新案に提出された、自動的に得点を記録する麻雀卓の中で、計算モジュール内に、
モード切り替えユニットが設置されているので、プレイヤーが麻雀ゲーム方式を切り替え
ることができる。
【００１２】
本実用新案は、インテリジェントパネルとWebカメラを通じて、得点を自動に記録するこ
とができ、手動計算による誤りを避けることができる。
【図面の簡単な説明】
【００１３】
【図１】図1は、本実用新案における自動的に得点を記録する麻雀卓の構造模式図である。
【図２】図2は、本実用新案における新型インテリジェントパネルの構造模式図である。
【図３】図3は、本実用新案の内部設置模式図である。
【考案を実施するための形態】
【００１４】
これから、具体的な実施形態及び添付図と結びづいて実用新案を、さらに詳しく説明する
。本実用新案を実施するプロセス、条件と実験方法等について、専門的に言及する以下の
内容を除いて、皆本分野における普遍的な知識と公知常識であり、本実用新案に、特別な
制限内容がない。
【００１５】
本実用新案は、自動的に得点を記録する麻雀卓を提出しているが、この麻雀卓が下記の構
成部分、即ち、麻雀卓本体1、Webカメラ及びインテリジェント・パネル3を含む。
【００１６】
麻雀卓本体1が自動麻雀卓であり、麻雀卓本体にWebカメラが設置されている；前記Webカ
メラが第一撮影モジュール21と第二撮影モジュール22を含む。四つの第一撮影モジュール
21が麻雀卓本体1の昇降装置に設置され、且つ、それぞれ麻雀卓本体の四辺に向けて撮影
する；第二撮影モジュール22がそれぞれ前記麻雀卓本体1の四側辺のボス部に設置され、
且つ、麻雀卓本体1の中央部に向けて撮影する。
【００１７】
麻雀卓本体1の側面に、パネル固定用スロット11が設置され、且つ、インテリジェント・
パネル3がトパネル固定用スロット11に固定されることができる。
【００１８】
インテリジェント・パネル3が下記の構成部分、即ち、それぞれ給電モジュール31に接続
するタッチスクリーン32、通信モジュール33と処理モジュール34を含む；
処理モジュール34がそれぞれタッチスクリーン32及び通信モジュール33に接続する。タッ
チスクリーン32が、表示と入力装置として、処理モジュール34を通じて、プレイヤー又は
計算モジュールの情報を処理し、且つ、通信モジュール33を通じて伝送を行う。
【００１９】
麻雀卓本体1内に、相互接続している送受信モジュール12と計算モジュール13が設置され
ている；送受信モジュール12と通信モジュール33との間に無線通信を行う；計算モジュー
ル13がWebカメラに接続している。送受信モジュール12が、通信モジュール33との間の無
線通信に用いられ、計算モジュール13内に、モード切り替えユニット131が設置される；
タッチスクリーン32に表示しているモード切り替えボタンを押した後、モード切り替えユ
ニット131が、各種の麻雀ゲーム方式内で(日本麻雀、中国国際麻雀と四川麻雀等)切り替
わる。
【００２０】
麻雀卓本体1内に、更に、計算モジュール13に接続しているネットワーク・モジュール14
が設置されている；ネットワークモジュール14が、インターネットとの接続に使用され、
実際的な麻雀成績を、ゲーム成績と連動させ、ランキングリストに作成して順位を表示す
る。
【００２１】
麻雀卓本体1内に、更に、前記通信モジュール33及び前記ネットワーク・モジュール14に
接続している広告モジュール15が設置されている；広告モジュール15が、タッチスクリー
ン32で、プレイヤーに、広告をリリースすることによって、一定の収入を取得することが
できる。広告は、ネットワークモジュール14を通じて更新することができる。
【００２２】
本実用新案の保護内容は、前記の実施形態に限らない。実用新案の構想の宗旨及び範囲に
背くない前提の下で、本分野の技術者が思いつける変化と利点は、皆本実用新案に含まれ
、且つ、添付の特許請求の範囲を保護範囲とする。
【図１】
0003228618.tif 000003
【図２】
0003228618.tif 000004
【図３】
0003228618.tif 000005
【手続補正書】
【提出日】令和2年7月30日(2020.7.30)
【手続補正１】
【補正対象書類名】実用新案登録請求の範囲
【補正対象項目名】全文
【補正方法】変更
【補正の内容】
【実用新案登録請求の範囲】
【請求項１】
麻雀卓本体(1)、Webカメラ及びインテリジェント・パネル(3)を含み、前記麻雀卓本体(1)
にWebカメラが設置されており、前記麻雀卓本体(1)の側面にパネル固定用スロット(11)が
設置されており、前記インテリジェント・パネル(3)がパネル固定用スロット(11)に固定
され、前記インテリジェント・パネル(3)が、給電モジュール(31)に接続するタッチスク
リーン(32)、通信モジュール(33)と処理モジュール(34)を含み、前記処理モジュール(34)
がタッチスクリーン(32)及び通信モジュール(33)に接続し、前記麻雀卓本体(1)内に相互
接続している送受信モジュール(12)と計算モジュール(13)が設置されており、送受信モジ
ュール(12)と通信モジュール(33)との間は無線通信を行い、前記計算モジュール(13)が前
記Webカメラに接続していることを特徴とする、自動的に得点を記録する麻雀卓。
【請求項２】
前記Webカメラが第一撮影モジュール(21)と第二撮影モジュール(22)を含み、前記第一撮
影モジュール(21)が前記麻雀卓本体(1)の中央部に設置され、且つ、それぞれ前記麻雀卓
本体(1)の四辺に向いており、前記第二撮影モジュール(22)がそれぞれ前記麻雀卓本体(1)
の四側辺に設置され、且つ、前記麻雀卓本体(1)の中央部に向いていることを特徴とする
、自動的に得点を記録する請求項1に記載の麻雀卓。
【請求項３】
前記麻雀卓本体(1)内に、更に、前記計算モジュール(13)に接続しているネットワーク・
モジュール(14)が設置されていることを特徴とする、自動的に得点を記録する請求項1に
記載の麻雀卓。
【請求項４】
前記麻雀卓本体(1)内に、更に、前記通信モジュール(33)及び前記ネットワーク・モジュ
ール(14)に接続している広告モジュール(15)が設置されていることを特徴とする、自動的
に得点を記録する請求項3に記載の麻雀卓。
【請求項５】
前記計算モジュール(13)内に、モード切り替えユニット(131)が設置されていることを特
徴とする、自動的に得点を記録する請求項1に記載の麻雀卓。